(57)【要約】      （修正有）【課題】三方の傾きを確実に防止することができるとともに、従来よりも少ない工数で三方に載置された状態の鏡餅形パックを包装箱に収容することができる、鏡餅用包装箱及び鏡餅セットを提供する。【解決手段】盆部52と脚部53とを備えた三方51と、盆部52に載置された鏡餅形パックとを収容するための鏡餅用包装箱１であって、底面14に、脚部53の内側面53ａに差し込まれる差し込み部14ｄ、14ｅを形成した。差し込み部14ｄ、14ｅは、鏡餅用包装箱１の底面14から連続して形成した。差し込み部14ｄ、14ｅは、基端部よりも先端部が幅広に形成した。【選択図】図４
2017202836.tif 000002
【特許請求の範囲】
【請求項１】
盆部と脚部とを備えた三方と、前記盆部に載置された鏡餅形パックとを収容するための鏡餅用包装箱であって、底面に、前記脚部の内側に差し込まれる差し込み部が形成されたことを特徴とする鏡餅用包装箱。
【請求項２】
前記差し込み部は、前記鏡餅用包装箱の底面から連続して形成されたことを特徴とする請求項１記載の鏡餅用包装箱。
【請求項３】
前記差し込み部は、基端部よりも先端部が幅広に形成されたことを特徴とする請求項１又は２記載の鏡餅用包装箱。
【請求項４】
一枚の型紙から形成されたことを特徴とする請求項１〜３のいずれか１項記載の鏡餅用包装箱。
【請求項５】
請求項１〜４のいずれか１項記載の鏡餅用包装箱に、盆部と脚部とを備えた三方と、前記盆部に載置された鏡餅形パックとを収容したことを特徴とする鏡餅セット。
【発明の詳細な説明】
【技術分野】
【０００１】
本発明は、鏡餅用包装箱及び鏡餅セットに関する。
【背景技術】
【０００２】
現在市販されている鏡餅は、鏡餅の形態を有するプラスチック容器の中に餅を入れた鏡餅形パックが主流となっており、鏡餅形パックが三方に載置された状態で包装箱に収容された飾り付き鏡餅が一般的に市販されている。しかし、三方に対し三方に載置された鏡餅形パックが重いために、輸送中などに包装箱中の三方が傾斜してしまうことがあった。
【０００３】
このため、三方の下に傾斜防止用の段ボールの支えを入れることが行われている。しかしながら、段ボールの支えは結局ゴミになってしまうため、この方法はあまり好ましくなかった。
【０００４】
一方、段ボールの支えを用いずに三方の傾斜を防止する構造が特許文献１、２により提案されている。これらは、三方の盆部を支える傾き防止片を包装箱に形成したものであり、特許文献１のものは、盆部の下面を支持する構造になっており、特許文献２のものは、盆部の縁部を上下から挟む構造になっている。しかしながら、これらのものは、三方に載置された鏡餅形パックを包装箱に収容する際に、包装箱に形成された傾き防止片を折り曲げる必要があるため、包装箱の組み立て工数が多くなってしまうという問題があった。
【先行技術文献】
【特許文献】
【０００５】
【特許文献１】特開２０１１−２４０９６５号公報
【特許文献２】特開２０１２−１１１５１７号公報
【発明の概要】
【発明が解決しようとする課題】
【０００６】
そこで本発明は、三方の傾きを確実に防止することができるとともに、従来よりも少ない工数で三方に載置された状態の鏡餅形パックを包装箱に収容することができる、鏡餅用包装箱及び鏡餅セットを提供することを目的とする。
【課題を解決するための手段】
【０００７】
本発明の鏡餅用包装箱は、盆部と脚部とを備えた三方と、前記盆部に載置された鏡餅形パックとを収容するための鏡餅用包装箱であって、底面に、前記脚部の内側に差し込まれる差し込み部が形成されたことを特徴とする。
【０００８】
また、前記差し込み部は、前記鏡餅用包装箱の底面から連続して形成されたことを特徴とする。
【０００９】
また、前記差し込み部は、基端部よりも先端部が幅広に形成されたことを特徴とする。
【００１０】
さらに、一枚の型紙から形成されたことを特徴とする。
【００１１】
本発明の鏡餅セットは、本発明の鏡餅用包装箱に、盆部を脚部とを備えた三方と、前記盆部に載置された鏡餅形パックとを収容したことを特徴とする。
【発明の効果】
【００１２】
本発明の鏡餅用包装箱及び鏡餅セットによれば、差し込み部を三方の脚部の内側に差し込むるだけで、三方の傾きを確実に防止することができるとともに、従来よりも少ない工数で三方に載置された状態の鏡餅形パックを包装箱に収容することができる。
【図面の簡単な説明】
【００１３】
【図１】本発明の実施例１の鏡餅用包装箱の展開図である。
【図２】本発明の実施例１の鏡餅用包装箱の一側面を開放した状態を示す斜視図である。
【図３】三方に載置された鏡餅形パックを示す斜視図である。
【図４】本発明の実施例１の鏡餅用包装箱に三方に載置された鏡餅形パックを収容した状態を示す斜視図である。
【発明を実施するための形態】
【００１４】
以下、本発明の鏡餅用包装箱及び鏡餅セットの実施例について、添付図面を参照しながら説明する。
【実施例１】
【００１５】
図１〜図４を参照しながら実施例１について説明する。
【００１６】
本実施例の鏡餅用包装箱は、１枚の型紙から形成され、本実施例の鏡餅用包装箱の展開図である図１に示すように、型紙において、背面11、上面12、前面13、底面14が左から右に横一列に連続している。背面11の左側には、底面14の右端と糊付けされる糊代片11ａが形成されている。なお、破線で示す背面11、上面12、前面13、底面14の境界は、山折り線となっている。
【００１７】
背面11の上側には右フラップ15、前面13の上側には左フラップ17、底面14の上側には下フラップ18が形成されている。そして、右フラップ15、左フラップ17、下フラップ18により、開閉面となる右側面が形成されるようになっている。下フラップ18の上側には、上面12の上端の下側に挿入される挿入片18ａが形成されている。
【００１８】
一方、背面11の下側には左フラップ19、上面12の下側には上フラップ20、前面13の下側には右フラップ21、底面14の下側には下フラップ22が形成されている。そして、左フラップ19、上フラップ20、右フラップ21、下フラップ22により、閉塞面となる左側面が形成されるようになっている。左フラップ19の右下側には上フラップに糊付けされる糊代片19ａ、右フラップの右下側には下フラップ22と糊付けされる糊代片21ａが形成されている。なお、左フラップ19、上フラップ20、右フラップ21、下フラップ22により、いわゆるオートボトム形式で閉塞面が形成されるようになっている。
【００１９】
また、底面14において、左側には縦方向の切り込み14ａ、右側には縦方向の切り込み14ｂ、略中央には切り込み14ａと切込み14ｂの中点を結ぶ横方向の切り込み14ｃが形成されている。すなわち、切り込み14ａ、14ｂ、14ｃにより、底面14の略中央に略Ｈ字形状の切り込みが形成されている。また、切り込み14ａは、中央が左側にやや突出した略く字形状に形成され、切り込み14ｂは、切り込み14ａとは対称に右側にやや突出した略逆く字形状に形成されている。そして、切り込み14ａ、14ｂ、14ｃにより、後述する三方の脚部の内側に下方から差し込まれる２つの差し込み部14ｄ、14ｅが形成されている。なお、差し込み部14ｄは、下側に向かって幅広になっており、差し込み部14ｅは、上側に向かって幅広になっている。すなわち、差し込み部14ｄ、14ｅは、折り線の基端部よりも、切り込み14ｃにより形成される先端部が幅広に形成されている。
【００２０】
さらに、上面12と前面13には、窓23が形成されている。窓23の端部には、窓23よりもやや大きく形成された透明フィルムの端部が貼付されるようになっている。
【００２１】
つぎに、本実施例の鏡餅用包装箱１の組み立てについて説明する。なお、型紙の折り曲げは、図１に示す破線に沿って行う。
【００２２】
まず、型紙の背面11、上面12、前面13、底面14の境界を、破線で示す折り線に沿って山折りに折り曲げて、糊代片11ａを底面14の右端に糊付けする。つぎに、背面11と左フラップ19、上面12と上フラップ20、前面13と右フラップ21、底面14と下フラップ22のそれぞれの境界を、破線で示す折り線に沿って山折りに折り曲げ、左フラップ19と糊代片19ａの境界、右フラップ21と糊代片21ａの境界を、破線で示す折り線に沿って谷折りに折り曲げる。そして、下フラップ22、右フラップ21、上フラップ20、左フラップ19の順に、箱の内側に折り込む。その後、背面11と上面12の境界と、前面13と底面14の境界を折り曲げて箱を折り畳んだ状態で、糊代片19ａを上フラップ20に糊付けし、同時に、糊代片21ａを下フラップ22に糊付けする。最後に、折り畳んだ状態の箱を起こすことにより、左フラップ19と右フラップ21が噛み合って、左フラップ19、上フラップ20、右フラップ21、下フラップ22により閉塞面が形成され、側面に閉塞面と開閉面を備え、開閉面が解放された図２に示すような鏡餅用包装箱１が得られる。なお、窓23の内側の端部には、透明フィルム24の端部が貼付されている。
【００２３】
ここで、鏡餅包装箱１に収容される三方に載置された鏡餅形パックを図３に示す。
【００２４】
三方51は、型紙を折り曲げて形成された盆部52と脚部53とから構成され、盆部52は、上面視で略正方形の底面54と、底面54の四辺から略垂直に立ち上がって形成された縁部55とから構成されている。三方51は、鏡餅用包装箱１の内面に縁部55の外側面56の上端部を密着させた状態で鏡餅用包装箱１に収容されるようになっており、縁部55の内側面57は底面54から所定の高さを有している。脚部53は、下面視で略正方形で下方に開口した筒形状であって、３つの側面には装飾用の穴58が形成されている。脚部53の横方向の寸法は、盆部52の横方向の寸法よりも小さくなっており、脚部53の上端は盆部52の下面の略中央に接続している。
【００２５】
三方51の盆部52には四方紅59が敷かれ、四方紅59の上に鏡餅形パック60が載置されている。
【００２６】
鏡餅形パック60は、白色の合成樹脂により一体に形成され、鏡餅の形状に形成された鏡餅形部61と、鏡餅形部61の下端から外方に突出するフランジ部62とを有している。フランジ部62は、三方51の盆部52の底面54よりもわずかに小さい略正方形であり、フランジ部62の端部が盆部52の内側面57に当接して鏡餅形パック60が前後左右に移動することが防止されるようになっている。また、鏡餅形パック60の内部には餅が収容されている。さらに、鏡餅形パック60のくびれ部分には、水引63が掛けられている。
【００２７】
つづいて、本実施例の鏡餅用包装箱１に三方51に載置された鏡餅形パック60を収容した状態について説明する。
【００２８】
図２に示す鏡餅用包装箱１の開閉面から、三方51に載置された鏡餅形パック60が収容される。鏡餅用包装箱１に三方51に載置された鏡餅形パック60が収容された状態を図４に示す。鏡餅用包装箱１の内面に三方51の盆部52の縁部55の外側面56の上端部が密着しており、三方51の脚部53の内側面53ａには、脚部53の内側に下方から差し込まれた２つの差し込み部14ｄ、14ｅが当接している。
【００２９】
鏡餅用包装箱１に三方51に載置された鏡餅形パック60を収容する際には、はじめに、鏡餅用包装箱１の奥まで、三方51に載置された鏡餅形パック60を収容する。つぎに、右フラップ15、左フラップ17につづいて下フラップ18を閉じ、挿入片18ａを鏡餅用包装箱１の内側に挿入して下フラップ18を固定する。これにより、開閉面が閉じた状態となる。最後に、底面14に形成された２つの差し込み部14ｄ、14ｅを折り線に沿って上方に折り曲げて、差し込み部14ｄ、14ｅを脚部53の内側に下方から差し込み、三方51の脚部53の内側面53ａに当接させる。この動作により、鏡餅用包装箱１の底面14に三方51の脚部53が固定され、三方51の傾きが防止される。なお、差し込み部14ｄ、14ｅは、上方に向かって折り曲げられたときに、差し込み部14ｄ、14ｅの基端部である折り線の部分よりも、先端部である上端部が幅広になっており、この幅広になっている上端部の両端が三方51の脚部53の内側面53ａに密着する。これによって、より確実に三方51の傾きが防止される。
【００３０】
以上のように、本実施例の鏡餅用包装箱１は、盆部52と脚部53とを備えた三方51と、前記盆部52に載置された鏡餅形パック60とを収容するための鏡餅用包装箱１であって、底面14に、前記脚部53の内側に差し込まれる差し込み部14ｄ、14ｅが形成されたものである。また、前記差し込み部14ｄ、14ｅは、前記鏡餅用包装箱１の底面14から連続して形成されたものである。また、前記差し込み部14ｄ、14ｅは、基端部よりも先端部が幅広に形成されたものである。さらに、一枚の型紙から形成されたものである。また、本実施例の鏡餅セットは、本実施例の鏡餅用包装箱１に、盆部52を脚部53とを備えた三方51と、前記盆部52に載置された鏡餅形パック60とを収容したものである。
【００３１】
本実施例の鏡餅用包装箱及び鏡餅セットによれば、差し込み部14ｄ、14ｅを三方51の脚部53の内側に差し込むだけで、三方51の傾きを確実に防止することができるとともに、従来よりも少ない工数で三方51に載置された状態の鏡餅形パック60を包装箱に収容することができる。また、前記差し込み部14ｄ、14ｅは、基端部よりも先端部が幅広に形成されたので、先端部の両端を三方51の脚部53の内側面53ａに密着させて、より確実に三方51の傾きを防止することができる。
【００３２】
なお、本発明は上記実施例に限らず種々の変形実施が可能であり、例えば、鏡餅用包装箱の底面に形成される差し込み部を上記実施例のように２つではなく、１つ又は３つ以上としてもよい。
【符号の説明】
【００３３】
１  鏡餅用包装箱
14  底面
14ｄ、14ｅ  差し込み部
51  三方
52  盆部
53  脚部
60  鏡餅形パック
【図１】
2017202836.tif 000003
【図２】
2017202836.tif 000004
【図３】
2017202836.tif 000005
【図４】
2017202836.tif 000006